(57)【要約】【課題】単一の光源によって、発光部のうちの所望領域を他の領域よりも目立たせて発光させる。【解決手段】車両用灯具１は、ＬＥＤ２と、ＬＥＤ２からの光を前方に向けて反射させる第二リフレクタ４の反射面４０と、反射面４０のうちの外周反射領域４１の前方に配置され、当該外周反射領域４１からの光を拡散させつつ透過させるエクステンション５の透明部５１とを備える。【選択図】図３
2016085830.tif 000002
【特許請求の範囲】
【請求項１】
光源と、
前記光源からの光を前方に向けて反射させる反射面と、
前記反射面のうちの一部の反射領域の前方に配置され、当該一部の反射領域からの光を拡散させつつ透過させる拡散レンズ部と、
を備えることを特徴とする車両用灯具。
【請求項２】
前記一部の反射領域が前記光源からの光を拡散させつつ反射させることを特徴とする請求項１に記載の車両用灯具。
【請求項３】
前記光源からの光を前記反射面に向けて反射させる他の反射面を備え、
前記光源はＬＥＤであり、
前記他の反射面は、前記反射面のうち前記一部の反射領域とは異なる他の反射領域に向けて反射させる光よりも、前記光源からの光の出射角が小さいものを、前記一部の反射領域に向けて反射させることを特徴とする請求項１又は２に記載の車両用灯具。
【請求項４】
前記反射面の周縁に配置されたエクステンションを備え、
前記拡散レンズ部が前記エクステンションと一体的に構成されていることを特徴とする請求項１〜３の何れか一項に記載の車両用灯具。
【請求項５】
前記一部の反射領域は、縦断面では前記光源からの光を平行光としつつ反射させるとともに、各縦断面形状が一様に形成されていることを特徴とする請求項１〜４の何れか一項に記載の車両用灯具。
【請求項６】
前記一部の反射領域が前記反射面の周縁部であることを特徴とする請求項１〜５の何れか一項に記載の車両用灯具。
【発明の詳細な説明】
【技術分野】
【０００１】
本発明は、車両に搭載される車両用灯具に関する。
【背景技術】
【０００２】
従来、車両に搭載される車両用灯具として、発光部の複数の発光領域を互いに異なる発光態様で同時に発光させるものが知られている。
【０００３】
この種の車両用灯具として、例えば特許文献１に記載のものでは、後方向きの第１ＬＥＤ光源と前方向きの第２ＬＥＤ光源とが背中合わせに配置されるとともに、第１ＬＥＤ光源からの光を前方へ反射させるリフレクタが当該第１ＬＥＤ光源の後方に配置されている。そのため、第１ＬＥＤ光源からの光はリフレクタでの反射光として比較的に柔らかい感じで光って見える一方、第２ＬＥＤ光源からの光は直射光としてキラキラと明るく光って見えることとなる。
【先行技術文献】
【特許文献】
【０００４】
【特許文献１】特許第４０９４３６６号公報
【発明の概要】
【発明が解決しようとする課題】
【０００５】
しかしながら、上記特許文献１に記載の車両用灯具では、複数の発光態様に対応した複数の光源を必要としており、コストやスペースの点で好ましくない。
【０００６】
本発明は、上記課題を解決するためになされたもので、単一の光源によって発光部のうちの所望領域を他の領域よりも目立たせて発光させることができる車両用灯具の提供を目的とする。
【課題を解決するための手段】
【０００７】
上記目的を達成するために、請求項１に記載の発明は、車両用灯具であって、
光源と、
前記光源からの光を前方に向けて反射させる反射面と、
前記反射面のうちの一部の反射領域の前方に配置され、当該一部の反射領域からの光を拡散させつつ透過させる拡散レンズ部と、
を備えることを特徴とする。
【０００８】
請求項２に記載の発明は、請求項１に記載の車両用灯具において、
前記一部の反射領域が前記光源からの光を拡散させつつ反射させることを特徴とする。
【０００９】
請求項３に記載の発明は、請求項１又は２に記載の車両用灯具において、
前記光源からの光を前記反射面に向けて反射させる他の反射面を備え、
前記光源はＬＥＤであり、
前記他の反射面は、前記反射面のうち前記一部の反射領域とは異なる他の反射領域に向けて反射させる光よりも、前記光源からの光の出射角が小さいものを、前記一部の反射領域に向けて反射させることを特徴とする。
【００１０】
請求項４に記載の発明は、請求項１〜３の何れか一項に記載の車両用灯具において、
前記反射面の周縁に配置されたエクステンションを備え、
前記拡散レンズ部が前記エクステンションと一体的に構成されていることを特徴とする。
【００１１】
請求項５に記載の発明は、請求項１〜４の何れか一項に記載の車両用灯具において、
前記一部の反射領域は、縦断面では前記光源からの光を平行光としつつ反射させるとともに、各縦断面形状が一様に形成されていることを特徴とする。
【００１２】
請求項６に記載の発明は、請求項１〜５の何れか一項に記載の車両用灯具において、
前記一部の反射領域が前記反射面の周縁部であることを特徴とする。
【発明の効果】
【００１３】
請求項１に記載の発明によれば、光源から出射されて反射面で前方へ反射される光のうち一部の反射領域で反射されるものが、その前方に配置された拡散レンズ部を通じて拡散されて前方へ照射される。これにより、当該灯具を前方から見たときに、光源からの光を単純に反射させるだけの反射面の他の反射領域に比べ、拡散レンズ部がより目立って光ることとなる。
したがって、単一の光源によって、発光部のうちの拡散レンズ部を反射面の他の反射領域よりも目立たせて発光させることができる。
【００１４】
請求項２に記載の発明によれば、拡散レンズ部へ光を反射させる一部の反射領域が光源からの光を拡散させつつ反射させるので、拡散レンズ部での光の拡散度合いを高めることができ、ひいては拡散レンズ部をより目立たせて発光させることができる。
【００１５】
請求項３に記載の発明によれば、光源であるＬＥＤからの光は、反射面のうちの他の反射領域に向けて反射される光よりも小さい出射角のものが一部の反射領域に向かうように、他の反射面で反射される。したがって、ＬＥＤからのより強い光が一部の反射領域で反射されて拡散レンズ部を発光させるので、当該拡散レンズ部をより一層目立たせて発光させることができる。
【００１６】
請求項４に記載の発明によれば、拡散レンズ部は反射面の周縁に配置されたエクステンションと一体的に構成されているので、拡散レンズ部を単純に一部品として設ける場合に比べ、部品点数を低減させることができる。
【図面の簡単な説明】
【００１７】
【図１】実施形態における車両用灯具が搭載された車両の斜視図である。
【図２】実施形態における車両用灯具の正面図である。
【図３】図２のIII−III線での車両用灯具の縦断面図である。
【発明を実施するための形態】
【００１８】
以下、本発明の実施形態について、図面を参照して説明する。
【００１９】
まず、本実施形態における車両用灯具１の構成について説明する。
図１は、車両用灯具１が搭載された車両Ｃの斜視図であり、図２は、車両用灯具１の正面図であり、図３は、図２のIII−III線での車両用灯具１の縦断面図である。
【００２０】
図１に示すように、車両用灯具１は、車両Ｃの後部左右両端にそれぞれ搭載されて、主に車両Ｃの後方に向けて発光するリアコンビネーションランプである。
なお、以下の説明において、「前」「後」「左」「右」「上」「下」との記載は、特に断りのない限り、車両用灯具１から見た方向、すなわち、車両Ｃから見た方向とは前後左右を逆にした方向を意味するものとする。
【００２１】
具体的には、図２及び図３に示すように、車両用灯具１は、複数のＬＥＤ（発光ダイオード）２，…と、第一リフレクタ３と、第二リフレクタ４と、エクステンション５とを備えている。
このうち、複数のＬＥＤ２，…は、赤色光を発するものであり、それぞれの光軸Ａｘを前後方向に略沿って前方（車両Ｃ後方）に向けた状態で、左右方向に沿って略等間隔で配列されている。各ＬＥＤ２は、光軸Ａｘを基準とする光の出射角が大きくなるに連れてその光度が低くなる指向特性を有している。また、複数のＬＥＤ２，…は、図示しない点灯制御装置によって通電量（すなわち発光強度）が制御されるようになっている。
【００２２】
第一リフレクタ３は、複数のＬＥＤ２，…から出射された光を第二リフレクタ４に向けて反射させるための反射部材であるとともに、複数のＬＥＤ２，…を露出させないように目隠しするものである。この第一リフレクタ３は、長尺な棒状に形成され、後述するエクステンション５の透明部５１の左右両端間に左右方向に沿って架け渡された状態で、複数のＬＥＤ２，…の前方に配置されている。
【００２３】
第一リフレクタ３の後面のうち、各ＬＥＤ２の前方に位置する部分は、アルミニウム皮膜が蒸着された上下一対の分岐反射面３０，３０となっている。つまり、第一リフレクタ３は、複数のＬＥＤ２，…に対応する複数対の分岐反射面３０，…を有している。この一対の分岐反射面３０，３０は、それぞれ上方斜め後方又は下方斜め後方に向かって開口する湾曲面であり、その後方のＬＥＤ２からの光を、当該ＬＥＤ２の光軸Ａｘを境に上下に分岐させつつ上方斜め後方又は下方斜め後方に反射させる。
また、各分岐反射面３０は、ＬＥＤ２からの出射角が小さい光（つまり光軸Ａｘに近い光）ほど、より上下側方に向かうように、当該ＬＥＤ２からの光を交差させつつ反射させる。但し、各分岐反射面３０は、後述するように、ＬＥＤ２からの光のうち、出射角が小さい所定範囲の光を、第二リフレクタ４の反射面４０のうちの外周反射領域４１に向けて反射させ、当該光よりも出射角が大きい所定範囲の光を、第二リフレクタ４の反射面４０のうちの中央反射領域４２に向けて反射させるように形成されていればよい。
【００２４】
第二リフレクタ４は、灯具前方へ光を照射させるための主たる反射部材であり、前方に向かって開口する湾曲板状に形成されて、複数のＬＥＤ２，…と第一リフレクタ３との間の前後方向位置に配置されている。より詳しくは、第二リフレクタ４は、上下左右それぞれに略対称な形状であって、左右両端に頂角を有し上下辺がやや長めの平行六辺形の正面視形状に形成され、その上下方向の中央に複数のＬＥＤ２，…及び第一リフレクタ３が位置するように配置されている。この第二リフレクタ４の底部のうち、各ＬＥＤ２の前方に位置する部分には、当該各ＬＥＤ２を前方に露出させる貫通孔４ａが形成されている。
【００２５】
第二リフレクタ４の前面（凹面）は、アルミニウム皮膜が蒸着された反射面４０となっており、第一リフレクタ３の分岐反射面３０，３０からの光を前方に向けて反射させる。
具体的に、反射面４０は、その周縁部の全周に亘る外周反射領域４１と、この外周反射領域４１よりも内側の中央反射領域４２から構成されている。
【００２６】
このうち、外周反射領域４１は、左右両側部分を除く殆どの部分が、一様な縦断面形状を左右方向に略沿って延伸させた形状に形成されている。そして、この外周反射領域４１は、第一リフレクタ３の分岐反射面３０，３０からの光を、側面視（縦断面）で略平行光としつつ前方に向けて反射させる。
また、外周反射領域４１は、表面にシボ加工が施されており、第一リフレクタ３の分岐反射面３０，３０からの光を拡散させつつ反射させる。但し、外周反射領域４１は、分岐反射面３０，３０からの光を拡散反射させるように構成されていればシボ加工が施されていなくともよく、例えば表面に白色塗装が施されていたり、或いは白色に原料着色されていたりしてもよい。
【００２７】
一方、中央反射領域４２は、複数のＬＥＤ２，…（及び複数対の分岐反射面３０，…）に対応する複数対の部分中央反射領域４２ａ，…に、左右方向に略沿って分割されている。また、一対の部分中央反射領域４２ａ，４２ａは、上下対に構成されて一対の分岐反射面３０，３０と対応しており、当該対応する分岐反射面３０と個別に対向している。各部分中央反射領域４２ａは、対向する第一リフレクタ３の分岐反射面３０，３０の近傍に焦点を有する回転放物面が基調とされた曲面状に形成されており、当該分岐反射面３０，３０からの光を略平行光としつつ前方に向けて反射させる。
【００２８】
エクステンション５は、主に第二リフレクタ４よりも後側の灯具部分を覆い隠す、いわゆるボロ隠しのための意匠部品である。このエクステンション５は、第二リフレクタ４の中央反射領域４２を前方に露出させるために中央部が開口した形状に形成されて、第二リフレクタ４の周縁を覆うように配置されている。
また、エクステンション５は、前端内周部が透明材による透明部５１となっており、当該透明部５１と不透明材による他の部分とが２色成形によって一体的に構成されている。
【００２９】
透明部５１は、やや斜め前方に傾斜しつつ内周側に張り出すテーパ板状に形成され、第二リフレクタ４の外周反射領域４１の前方を覆いつつ、正面視で中央反射領域４２に被らないように配置されている。この透明部５１は、前面及び後面の少なくとも一方にシボ加工が施されており、第二リフレクタ４の外周反射領域４１からの光を拡散させつつ透過させる拡散レンズ部となっている。但し、透明部５１は、外周反射領域４１からの光を拡散させつつ透過させるように構成されていればシボ加工が施されていなくともよく、例えば、前面及び後面の少なくとも一方に魚眼カットなどのレンズカットを施したり、乳白色の材料または拡散剤が混入された材料を使用したりしてもよい。
なお、例えばエクステンション５の他の部分の前面（前側に露出する面）がアルミ蒸着面であった場合に、透明部５１の前面を、入射光の一部を透過させるアルミニウム皮膜が蒸着された面（いわゆるハーフ蒸着面）として、他の部分との非点灯時の見栄えを揃えてもよい。もしくは反対に、透明部５１の前面を他の部分よりも目立つ外観のものとして、当該透明部５１が発光部であることを分かりやすくしてもよい。
【００３０】
続いて、車両用灯具１の点灯態様について説明する。
車両用灯具１では、複数のＬＥＤ２，…が発光すると、各ＬＥＤ２から出射した光が、その前方の一対の分岐反射面３０，３０によって、上下方向に分岐されつつ第二リフレクタ４の反射面４０に向けて反射される。このとき、各分岐反射面３０は、ＬＥＤ２からの光のうち、出射角が小さい所定範囲の光を、第二リフレクタ４の反射面４０のうちの外周反射領域４１に向けて反射させ、当該光よりも出射角が大きい所定範囲の光を、第二リフレクタ４の反射面４０のうちの中央反射領域４２に向けて反射させる。
【００３１】
各分岐反射面３０で反射された光のうち、中央反射領域４２に向けて反射されたものは、当該分岐反射面３０に対応する部分中央反射領域４２ａによって略平行光とされつつ前方に向けて反射され、灯具前方（車両Ｃ後方）へ照射される。
【００３２】
一方、各分岐反射面３０で反射された光のうち、外周反射領域４１に向けて反射されたものは、当該外周反射領域４１によって、側面視で略平行光とされつつ前方に向けて反射される。このとき、外周反射領域４１は、表面のシボ加工によって、分岐反射面３０からの光を拡散させつつ反射させる。
そして、外周反射領域４１で反射された光は、その前方に配置されたエクステンション５の透明部５１を透過して前方へ照射される。この光は、シボ加工が施された透明部５１によって拡散されつつ当該透明部５１を透過して、灯具前方（車両Ｃ後方）へ照射される。
【００３３】
このようにして、車両用灯具１では、各ＬＥＤ２からの光によって、第二リフレクタ４の中央反射領域４２とエクステンション５の透明部５１とが前方に向かって発光する。
このとき、中央反射領域４２が単純にそのまま光を照射しているのに対して、透明部５１は中央反射領域４２よりも前方に配置されて透過光を拡散させているため、当該透明部５１は中央反射領域４２よりも目立ちつつ均一に発光する。
さらに、透明部５１から照射される光は、ＬＥＤ２からの出射角が小さくより光度の高い光であり、また第二リフレクタ４の外周反射領域４１によっても拡散されているため、当該透明部５１は中央反射領域４２よりも一層目立ちつつ且つ均一に発光する。
【００３４】
また、車両用灯具１は、複数のＬＥＤ２，…への通電量が制御されることによって、テールランプ（尾灯）又はストップランプ（制動灯）として点灯する。
具体的には、複数のＬＥＤ２，…への通電量が比較的に少ない（すなわち各ＬＥＤ２の発光強度が弱い）ときには、上述の通り、エクステンション５の透明部５１が第二リフレクタ４の中央反射領域４２よりも目立って発光した状態となり、主に当該透明部５１がテールランプとして点灯する。
また、複数のＬＥＤ２，…への通電量が比較的に多い（すなわち各ＬＥＤ２の発光強度が強い）ときには、基本的には通電量が少ないときと同様の発光状態となるものの、透明部５１と中央反射領域４２が何れも強く発光するため、これら透明部５１及び中央反射領域４２の全体がストップランプとして点灯する。
【００３５】
以上のように、本実施形態の車両用灯具１によれば、ＬＥＤ２から出射されて第二リフレクタ４の反射面４０で前方へ反射される光のうち外周反射領域４１で反射されるものが、その前方に配置されたエクステンション５の透明部５１を通じて拡散されて前方へ照射される。これにより、当該灯具を前方から見たときに、ＬＥＤ２からの光を単純に反射させるだけの反射面４０の中央反射領域４２に比べ、透明部５１がより目立って光ることとなる。
したがって、単一の光源によって、発光部のうちの透明部５１を反射面４０の中央反射領域４２よりも目立たせて発光させることができる。
【００３６】
また、透明部５１へ光を反射させる外周反射領域４１がＬＥＤ２からの光を拡散させつつ反射させるので、透明部５１での光の拡散度合いを高めることができ、ひいては透明部５１をより目立たせて発光させることができる。
【００３７】
また、ＬＥＤ２からの光は、反射面４０のうちの中央反射領域４２に向けて反射される光よりも小さい出射角のものが外周反射領域４１に向かうように、第一リフレクタ３の分岐反射面３０で反射される。したがって、ＬＥＤ２からのより強い光が外周反射領域４１で反射されて透明部５１を発光させるので、当該透明部５１をより一層目立たせて発光させることができる。
【００３８】
また、透明部５１は反射面４０（第二リフレクタ４）の周縁に配置されたエクステンション５と一体的に構成されているので、透明部５１を単純に一部品として設ける場合に比べ、部品点数を低減させることができる。
【００３９】
なお、本発明を適用可能な実施形態は、上述した実施形態に限定されることなく、本発明の趣旨を逸脱しない範囲で適宜変更可能である。
【００４０】
例えば、上記実施形態では、拡散レンズ部である透明部５１が、反射面４０の周縁部である外周反射領域４１の前方に配置されることとしたが、当該透明部５１は、反射面４０のうち特に目立たせて発光させたい任意の領域の前方に配置することとしてもよい。
また、透明部５１は、エクステンション５と一体的に構成しなくともよい。
【００４１】
また、第一リフレクタ３に分岐反射面３０を設けずに、当該分岐反射面３０の位置に光源であるＬＥＤ２を配置して、第二リフレクタ４の反射面４０での１回反射だけで光を照射することとしてもよい。
【符号の説明】
【００４２】
１          車両用灯具
２          ＬＥＤ（光源）
３          第一リフレクタ
３０      分岐反射面（他の反射面）
４          第二リフレクタ
４０      反射面
４１    外周反射領域（一部の反射領域）
４２    中央反射領域（他の反射領域）
５          エクステンション
５１      透明部（拡散レンズ部）
【図１】
2016085830.tif 000003
【図２】
2016085830.tif 000004
【図３】
2016085830.tif 000005